(57)【特許請求の範囲】
【請求項１】
無線ネットワーク（１）でデータを送信するネットワークノード（２）で実行される方法（３０）であって、前記ネットワークノード（２）は、多入力多出力アンテナシステム（５）を制御する様に構成可能であり、前記方法（３０）は、
１つ以上の通信デバイスＵＥ１、・・・、ＵＥＫそれぞれの利用可能な各チャネル情報に基づいて、前記１つ以上の通信デバイスＵＥ１、・・・、ＵＥＫへのユーザ特定データストリームをビーム形成すること（３１）と、
送信ダイバーシティ法を使用して制御情報ストリームをプリコーディングすること（３２）と、
前記ビーム形成されたユーザ特定データストリームと、前記プリコーディングされた制御情報ストリームとを同じ送信時間及び周波数リソースで送信すること（３３）と、を含む、方法。
【請求項２】
請求項１に記載の方法（３０）であって、
前記プリコーディングすること（３２）は、前記１つ以上の通信デバイスＵＥ１、・・・、ＵＥＫそれぞれの各チャネル行列を含む結合チャネル行列のヌル空間にあるプリコーディング行列を判定することを含む、方法。
【請求項３】
請求項１に記載の方法（３０）であって、
前記プリコーディングすること（３２）は、前記１つ以上の通信デバイスＵＥ１、・・・、ＵＥＫそれぞれの各チャネル行列を含む結合チャネル行列のヌル空間＋ε内にあるプリコーディング行列を判定することを含み、前記ヌル空間＋ε＜閾値である、方法。
【請求項４】
請求項１から３のいずれか１項に記載の方法（３０）であって、
ビーム形成されたユーザ特定データストリームが送信される通信デバイスに、共通制御情報の復号について指示することを含む、方法。
【請求項５】
請求項４に記載の方法（３０）であって、
前記指示することは、前記通信デバイスが帯域内の共通制御情報を復号することを、制御メッセージのビットで示すことを含む、方法。
【請求項６】
請求項４又は５に記載の方法（３０）であって、
前記指示することは、前記通信デバイスが共通制御情報を無視することを、制御メッセージのビットで示すことを含む、方法。
【請求項７】
請求項１から６のいずれか１項に記載の方法（３０）であって、
ユーザ特定データストリームがビーム形成される通信デバイスＵＥ１、・・・、ＵＥＫに制御情報を通信する必要がある場合、前記ビーム形成すること（３１）においては、前記制御情報を含めることを含む、方法。
【請求項８】
無線ネットワーク（１）でデータを送信するネットワークノード（２）であって、前記ネットワークノード（２）は、多入力多出力アンテナシステム（５）を制御する様に構成可能であり、前記ネットワークノード（２）は、
１つ以上の通信デバイスＵＥ１、・・・、ＵＥＫそれぞれの利用可能な各チャネル情報に基づき、前記１つ以上の通信デバイスＵＥ１、・・・、ＵＥＫへのユーザ特定データストリームをビーム形成し（３１）、
送信ダイバーシティ法を使用して制御情報ストリームをプリコーディングし、
前記ビーム形成されたユーザ特定データストリームと、前記プリコーディングされた制御情報ストリームとを同じ送信時間及び周波数リソースで送信する様に構成される、ネットワークノード。
【請求項９】
請求項８に記載のネットワークノード（２）であって、
前記１つ以上の通信デバイスＵＥ１、・・・、ＵＥＫそれぞれの各チャネル行列を含む結合チャネル行列のヌル空間にあるプリコーディング行列を判定することにより、プリコーディングする様に構成される、ネットワークノード。
【請求項１０】
請求項８に記載のネットワークノード（２）であって、
前記１つ以上の通信デバイスＵＥ１、・・・、ＵＥＫそれぞれの各チャネル行列を含む結合チャネル行列のヌル空間＋ε内にあるプリコーディング行列を判定することにより、プリコーディングする様に構成され、前記ヌル空間＋ε＜閾値である、ネットワークノード。
【請求項１１】
請求項８から１０のいずれか１項に記載のネットワークノード（２）であって、
ビーム形成されたユーザ特定データストリームが送信される通信デバイスに、共通制御情報の復号について指示する様に構成される、ネットワークノード。
【請求項１２】
請求項１１に記載のネットワークノード（２）であって、
前記通信デバイスが帯域内の共通制御情報を復号することを、制御メッセージのビットで示すことにより指示する様に構成される、ネットワークノード。
【請求項１３】
請求項１１又は１２に記載のネットワークノード（２）であって、
前記通信デバイスが共通制御情報を無視することを、制御メッセージのビットで示すことにより指示する様に構成される、ネットワークノード。
【請求項１４】
請求項８から１３のいずれか１項に記載のネットワークノード（２）であって、
ユーザ特定データストリームがビーム形成される通信デバイスＵＥ１、・・・、ＵＥＫに制御情報を通信する必要がある場合、前記ビーム形成すること（３１）においては、前記制御情報を含める様に構成される、ネットワークノード。
【請求項１５】
無線ネットワーク（１）でデータを送信するネットワークノード（２）のためのコンピュータプログラム（４２）であって、前記コンピュータプログラム（４２）は、コンピュータプログラムコードを含み、前記コンピュータプログラムコードは、前記ネットワークノード（２）の少なくとも１つのプロセッサ（４０）で実行されると、前記ネットワークノード（２）に請求項１から７のいずれか１項に記載の方法（３０）を実行させる、コンピュータプログラム。
【請求項１６】
請求項１５に記載のコンピュータプログラム（４２）を含む、コンピュータ可読記憶媒体。
【発明の詳細な説明】
【技術分野】
【０００１】
本開示技術は、一般的に、多入力多出力（ＭＩＭＯ)技術の分野に関し、特に、多入力多出力アンテナシステムを使用して、無線ネットワーク内でデータを送信する方法及びノードに関する。
【背景技術】
【０００２】
多入力多出力（ＭＩＭＯ)アンテナ技術において、例えば、データレートやリンク範囲の増加の観点から通信パフォーマンスを改良するために、複数のアンテナが使用される。チャネルインパルス応答及びそれに基づくビーム形成信号を推定することにより、追加の帯域幅や送信電力の増加の必要なく、その様な改良が達成できる。
【０００３】
マッシブＭＩＭＯは、無線アクセスの新たな技術であり、非常に多くの数（例えば、数百）の位相コヒーレントアンテナ要素が、通信リソース、例えば、同じ時間−周波数リソース内の比較的少ない数（例えば、数十）のユーザ端末にサービス提供するために無線基地局において使用される。
【０００４】
マッシブＭＩＭＯの基本的な想定は、アンテナアレイが十分に精度の高いユーザ端末へのチャネル状態情報（ＣＳＩ）を獲得でき、その結果、コヒーレント（閉ループ）ビーム形成が下りリンク（無線基地局からユーザ端末へのリンク方向）に適用できることである。通信リンクのチャネルプロパテイが獲得できることも想定され、これには、様々な方法がある。例えば、上りリンク（ユーザ端末から無線基地局へのリンク方向）のＣＳＩ獲得のため、ユーザ端末は、パイロット信号を送信するように構成され、無線基地局は、パイロット信号を受信し、パイロット信号に基づきチャネル応答を推定する。チャネルの相互関係が下りリンクのために想定され得る。
【０００５】
以下に簡単に説明する様に、マッシブＭＩＭＯにおいてビーム形成を実行する様々な方法が存在する。Ｋ個のユーザ端末にビーム形成されたデータを送信しようとしている、Ｍ個のアンテナ要素のアンテナアレイを備えた無線基地局を想定し、ここで、各ユーザ端末は、単一アンテナを備えているものとする。アンテナアレイからＫ番目のユーザ端末への特定のリソースブロックのチャネル応答を、サイズＭのベクトルｇｋで表示する。時刻ｔで、無線基地局は、以下に示すベクトルの線形結合を下りリンクに送信する。
【０００６】
【数１】
0006476279.tif 000002
【０００７】
ここで、｛ｖｋ｝は、Ｋ個の端末、ｋ＝１、・・・、Ｋに関連付けられたビーム形成ベクトルであり、｛ｓｋ（ｔ）｝は、時刻ｔでＫ個の端末それぞれへのシンボルである。チャネルは、１つのリソースブロック内では一定と見做され、｛ｓｋ（１）；・・・；ｓｋ（Ｔ）｝の数Ｔのシンボルが各リソースブロック内で、各端末ｋに送信され得る。ビーム形成ベクトル｛ｖｋ｝は、（推定された）チャネル応答｛ｇｋ｝の関数として選択される。
【０００８】
運用上、式（１）のビーム形成方法は、無線基地局のアンテナアレイにより放出された電力が、受信ユーザ端末が位置するとみなされる地理的スポットにフォーカスされることを確実にする。これは、無線基地局がユーザ端末と事前にコンタクトしていることを前提とし、特に、各リソースブロックについて、それらへのチャネル応答｛ｇｋ｝が推定されていることを前提としている。用語リソースブロックは、チャネルが一定である、時間−周波数空間を意味し、マッシブＭＩＭＯでは、しばしば、"コヒーレント間隔"とも呼ばれる。
【０００９】
ユーザ端末とのリンクが確立される前に、無線基地局は、ユーザ端末へのチャネル応答ｇｋを知らない。これは、その様なユーザ端末については、アンテナアレイでのビーム形成利得を利用できないことを意味する。しかしながら、ある情報、例えば、制御情報は、無線基地局がチャネル状態情報を有していないユーザ端末にも周期的に送信されなければならない。この種の制御情報は、単に、すべてに対してブロードキャストされるべき、一般的なシステム情報を含み、さらに、特定のユーザ端末に上りリンクで無線基地局とコンタクトを試みるべきことを告げることを目的とした"ウェイクアップ"（ページング）メッセージを含み得る。本開示において、この種の情報を"制御情報"又は"ブロードキャストデータ"と表記する。
【００１０】
ＣＳＩが利用可能ではないと、ビーム形成を使用することができず、送信機でＣＳＩを必要としない空間−時間ブロック符号化が、代わりに使用され得る。空間−時間ブロック符号化は、空間（送信）ダイバーシティを効果的に利用する方法である。送信機の２つのアンテナのために、アラモウチ法がしばしば使用され、３つ以上のアンテナでは、例えば、種々の空間−時間又は空間周波数符号化といった、よく開発された多くの方法が存在する。
【発明の概要】
【発明が解決しようとする課題】
【００１１】
空間−時間ブロック符号化は、様々なアンテナでデータストリームの複数のコピーを送信することにより空間ダイバーシティを利用し、空間−時間ブロック符号化を使用して送信される制御情報は、よって、十分ではない時間−周波数リソースの多くの量を無駄に消費する。
【００１２】
さらに、ビーム形成が利用できないので、マッシブＭＩＭＯを使用することの利得は、制御情報の送信に利用できない。
【００１３】
本開示の目的は、上述した問題の少なくとも１つを解決、あるいは、緩和することである。
【課題を解決するための手段】
【００１４】
第１の態様によると、目的は、無線ネットワークにおいてデータを送信するネットワークノードで実行される方法により達成される。ネットワークノードは、多入力多出力アンテナシステムを制御する様に構成可能である。方法は、１つ以上の通信デバイスへのユーザ特定データストリームをビーム形成することであって、ビーム形成することは、１つ以上の通信デバイスのそれぞれのために利用可能な各チャネル情報に基づく、ビーム形成することと、送信ダイバーシティ法を使用して制御情報ストリームをプリコーディングすることと、ビーム形成されたユーザ特定データストリームとプリコーディングされた制御情報ストリームとを同じ送信リソースで送信することと、を含む。
【００１５】
方法は、例えば、時間及び／又は周波数リソースといった、制御情報のブロードキャストの送信に必要な通信リソースを、ビーム形成されたユーザデータ、特に、マッシブＭＩＭＯのビーム形成されたユーザデータの送信にも使用することを可能にする。これは、下りリンクの多くの自由度を利用することでシステムキャパシティを高くする。無線リソースの利用を改良することで、アクティブユーザのスループットも高められる。
【００１６】
第２の態様によると、目的は、無線ネットワークにおいてデータを送信するネットワークノードにより達成される。ネットワークノードは、多入力多出力アンテナシステムを制御する様に構成可能である。ネットワークノードは、１つ以上の通信デバイスへのユーザ特定データストリームをビーム形成し、ここで、ビーム形成は、１つ以上の通信デバイスのそれぞれのために利用可能な各チャネル情報に基づき、送信ダイバーシティ法を使用して制御情報ストリームをプリコーディングし、ビーム形成されたユーザ特定データストリームとプリコーディングされた制御情報ストリームとを同じ送信リソースで送信する様に構成される。
【００１７】
第３の態様によると、目的は、無線ネットワークにおいてデータを送信するネットワークノードのためのコンピュータプログラムにより達成される。コンピュータプログラムは、コンピュータプログラムコードを含み、コンピュータプログラムコードは、ネットワークノードの少なくとも１つのプロセッサで実行されると、ネットワークノードに上記方法を実行させる。
【００１８】
第４の態様によると、目的は、上述したコンピュータプログラムと、コンピュータプログラムが格納されたコンピュータ可読手段と、を含むコンピュータプログラム製品により達成される。
【００１９】
第５の態様によると、目的は、無線ネットワークにおいてデータを受信する通信デバイスで実行される方法により達成される。方法は、信号を受信してフレーム処理を開始することと、信号がユーザ特定データを含むかを判定することと、信号にユーザ特定データがあるとの判定に応じてユーザ特定データを処理することと、信号にユーザ特定データがないとの判定に応じて信号が制御情報を含むかを判定することと、を含む。
【００２０】
第６の態様によると、目的は、無線ネットワークにおいてデータを受信する通信デバイスにより達成される。通信デバイスは、信号を受信してフレーム処理を開始し、信号がユーザ特定データを含むかを判定し、信号にユーザ特定データがあるとの判定に応じてユーザ特定データを処理し、信号にユーザ特定データがないとの判定に応じて信号が制御情報を含むかを判定する様に構成される。
【００２１】
第７の態様によると、目的は、無線ネットワークにおいてデータを受信する通信デバイスのためのコンピュータプログラムにより達成される。コンピュータプログラムは、コンピュータプログラムコードを含み、コンピュータプログラムコードは、通信デバイスの少なくとも１つのプロセッサで実行されると、通信デバイスに上記方法を実行させる。
【００２２】
第８の態様によると、目的は、上述したコンピュータプログラムと、コンピュータプログラムが格納されたコンピュータ可読手段と、を含むコンピュータプログラム製品により達成される。
【００２３】
第９の態様によると、目的は、無線ネットワークにおいてデータを送信するネットワークノードにより達成される。ネットワークノードは、１つ以上の通信デバイスへのユーザ特定データストリームをビーム形成する手段であって、ビーム形成は、１つ以上の通信デバイスのそれぞれのために利用可能な各チャネル情報に基づく、ビーム形成する手段と、送信ダイバーシティ法を使用して制御情報ストリームをプリコーディングする手段と、ビーム形成されたユーザ特定データストリームとプリコーディングされた制御情報ストリームとを同じ送信リソースで送信する手段と、を備えている。
【００２４】
第１０の態様によると、目的は、無線ネットワークにおいてデータを受信する通信デバイスにより達成される。通信デバイスは、信号を受信してフレーム処理を開始する手段と、信号がユーザ特定データを含むかを判定する手段と、信号にユーザ特定データがあるとの判定に応じてユーザ特定データを処理する手段と、信号にユーザ特定データがないとの判定に応じて信号が制御情報を含むかを判定する手段と、を備えている。
【００２５】
本開示のさらなる特徴及び利点は、添付の図面及び以下の詳細な説明を読むことで明確になる。
【図面の簡単な説明】
【００２６】
【図１】本開示の実施形態が実行され得る環境を示す図。
【図２】例示的なアンテナシステムを示す図。
【図３】ネットワークノードでの処理を示す図。
【図４】通信デバイスでの処理を示す図。
【図５】本開示の一態様によるネットワークノードでの方法のステップを示すフローチャート。
【図６】ネットワークノードと、本開示の方法を実行する手段とを示す図。
【図７】本開示の一態様による通信デバイスでの方法のステップを示すフローチャート。
【図８】通信デバイスと、本開示の方法を実行する手段とを示す図。
【発明を実施するための形態】
【００２７】
以下の記述は説明を目的とし、限定するものではなく、特定の構造、インタフェース、技術等の特定の詳細は理解のために提示される。他の例として、公知デバイス、回路及び方法の詳細な記載は、不要な詳細により記述を不明瞭にしないために省略する。記載を通して、同じ参照符号は、同じ又は同様の要素を参照する。
【００２８】
要約すると、本開示は、一態様として、無線基地局の様なネットワークノードが、ビーム形成されたユーザデータと、ダイバーシティ法を使用するブロードキャストデータとの両方を同じ通信リソース（同じ時間及び周波数リソース）で送信することを可能にする。一態様において、本開示は、さらに、この単一の（時間−周波数）リソースで、ユーザデータ又はブロードキャストのいずれかを受信する通信デバイスの振る舞いについて記述する。
【００２９】
図１は、本開示の実施形態が実行され得る環境を示す図である。無線ネットワーク１は、無線リンクを提供することで通信デバイス３との無線通信を可能にする複数のネットワークノード２（図１では１つのみを表示）を備えている。無線ネットワーク１は、例えば、５Ｇネットワーク（第５世代無線ネットワーク）又はロングタームエボリューション（ＬＴＥ）ネットワークであり得る。無線通信リンクを介して通信デバイス３との通信を可能にするネットワークノード２は、例えば、特定のネットワーク種別に応じて、無線アクセスノード、基地局、無線基地局、発展型ノードＢ(ｅＮＢ）等、異なる様に参照され得る。以下では、ネットワークノード２を基地局２と呼ぶ。基地局２は、セルと呼ばれる所定の地理的領域内のカバレッジを提供する。１つの基地局２は、その様な１つ以上のセルを制御し得る。
【００３０】
基地局２はＵＥ３から信号を受信し、かつ、ＵＥ３に信号を送信するアンテナシステム５を備え、あるいは、アンテナシステム５を制御する。アンテナシステム５は、複数のアンテナ７と、受信及び送信回路８と、を備えている。基地局２は、ＭＩＭＯ基地局であり、特に、マッシブＭＩＭＯ基地局２である。つまり、基地局２は、例えば、数百の位相コヒーレントアンテナ要素といった、多数のアンテナアレイを備え、或いは、多数のアンテナアレイを制御する。アンテナシステム５は、線形アンテナアレイ、平面アンテナアレイであり、単一の偏波アンテナ要素又は複数の偏波アンテナ要素を含み得る。アンテナアレイは、分散型または集中型であり、垂直、水平、又は、２次元若しくは３次元に配列され得る。アンテナアレイ構成は、例えば、方形、球形、円筒アンテナアレイ構成であり得る。本開示は、アンテナシステム５の任意の特定の構成や、配置シナリオに限定されない。また、マッシブＭＩＭＯは、例えば、大規模アンテナシステム又は大規模ＭＩＭＯとしても知られている。
【００３１】
通信デバイス３は、例えば、移動局、無線デバイス、ユーザ装置（ＵＥ）等の異なる方法で参照され得る。通信デバイス３を以下ではユーザ端末又はＵＥ３と呼び、例えば、スマートフォンやタブレット等を含み得る。
【００３２】
無線ネットワーク１は、さらに、典型的には、移動管理エンティティ（ＭＭＥ）、運用保守（Ｏ＆Ｍ）ノード、パケットデータネットワークゲートウェイ、移動管理エンティティ、サービングゲートウェイ等の種々の他のネットワークノードを含む。その様な他のネットワークノードの１つが、参照符号４の中央ネットワークノードとして示されている。
【００３３】
図２は、例示的なアンテナシステム５を示す図である。図示するアンテナシステム５は、複数のアンテナ要素６１，・・・，６ｉ，・・・を含む平面アンテナアレイ７を備えている。アンテナシステム５は、典型的には、例えば、送信／受信回路及び部品といった、その機能に必要とされる機械及び電気部品（図１では参照符号８として示す）と、アンテナとを包含する意味で使用される。アンテナは、上述した様に、複数のアンテナ要素を含んでいる。基地局２は、指向性の信号送信又は受信のためにアンテナアレイで使用される信号処理技術である、ビーム形成（又は空間フィルタリング）を使用する様に構成可能である。アンテナアレイ７のアンテナ要素６１，・・・，６ｉ，・・・は、特定の地理的位置で信号が建設的干渉を起こし、他の位置では相殺的干渉を起こすように、ビーム形成器に結合され得る。所望の方向への信号の位相を加算し、不要な方向においてはパターンをヌル化することで、放射パターンが得られる。各アンテナ要素での信号の位相及び相対的な振幅は、波面の建設的及び相殺的干渉のこの放射パターンを形成するために制御され得る。各アンテナ要素６１，・・・，６ｉ，・・・から送信される信号は、それぞれのビーム形成重み(ビーム形成ベクトルを形成）で乗じられ、重みづけされた信号は、送信される出力信号を形成するために加算され得る。
【００３４】
マッシブＭＩＭＯチャネルの特徴は、下りリンクの大きな自由度であり、特に、下りリンクにおける多くの未使用の自由度である。本開示は、この事実を利用する方法及び手段を開示、つまり、専用ユーザデータと同様に制御情報を送信する基地局で、大きな自由度を利用することを開示する。
【００３５】
特に、Ｍ個のアンテナ要素６１，・・・，６Ｍが、所定の時間−周波数リソース、つまり、リソースブロックで、Ｋ個のユーザ端末ＵＥ１，・・・，ＵＥＫへの情報のビーム形成に使用されることを想定する。上述した様に、チャネルは、１つのリソースブロック内では一定と見做され、各リソースブロック内で、複数のシンボルがユーザ端末に送信され得る。リソースブロックは、例えば、時間−周波数リソースを含むことが意図される。特定例として、リソースブロックは、複数のサブキャリアを含み、直交周波数分割多重(ＯＦＤＭ)アクセス（ＯＦＤＭＡ）に基づくシステムのＯＦＤＭシンボルを含み得る。合計帯域は、複数のリソースブロックを含み、リソースブロックは、ユーザ端末に割り当てることができる最小のリソースである。
【００３６】
アンテナアレイ７は、自由度Ｍを提示するが、それらのＫのみが使用される。ここで、自由度Ｍ−Ｋは未使用のままとなる。通常、マッシブＭＩＭＯの場合、ＫはＭより非常に小さい、つまり、Ｋ＜＜Ｍである。数千のアンテナ要素と、それに応じたより多くの数のＵＥもあり得るが、現在予測されている運用シナリオでは、Ｍは、例えば、１００に等しく、かつ、Ｋは１から５０の間、或いは、Ｍ＝５００、かつ、Ｋは１から１００の間である。
【００３７】
本開示の一態様によると、過度の自由度が以下の様に利用される。各リソースブロックで、基地局２は同時に 
（１）ＣＳＩを有するＫ個のユーザ端末ＵＥ１，・・・，ＵＥＫへのビームを形成し、
（２）セル内の（もしあれば）他の総てのユーザ端末を対象とする制御情報を未使用のチャネル自由度でブロードキャストする。未使用のチャネル自由度は、Ｋ個のユーザ端末へのビーム形成に使用されるチャネルのヌル空間として参照される。
【００３８】
一般的に、２つのベクトル空間の線形マップＬ：Ｈ→Ｃのヌル空間は、Ｌ（ｖ）＝０であるＨの総ての要素ｖの集合である。"ヌル空間"は、自由であるチャネルの次元として少しの数学的方法で定義され、"自由ではない"次元は、ビーム形成されたデータが送信されるＵＥに予約された次元である。ヌル空間は、チャネルの自由度として記述でき、そこでは、本質的に、信号間で干渉を生じさせることなく、自由度と同じ数の信号を送信することが可能である。
【００３９】
以下では、ビーム形成が行われる対象のユーザ端末を"Ｂ端末"と表記し、他の総ての端末を"Ｏ端末"と表記する。Ｂ端末のためのビーム形成ベクトルは、ヌル空間に直交し、Ｏ端末への制御情報は、ヌル空間でブロードキャストされる。よって、端末間での共通チャネル干渉は生じない。しかしながら、本教示は、Ｂ端末のためのビーム形成ベクトルが、ヌル空間に対して直交に近い、或いは、本質的に直交している場合にも応用できる。つまり、完全な直交性は好ましいシナリオであるが、他の場合にも応用可能である。本開示のために、数学的なヌル空間は、零からの小さな偏差εを受け入れることができる場合も含むように拡張され、本開示の範囲に含まれる。零からの小さな偏差εにより生じる干渉が、他の干渉やノイズと比較して小さい限り、εは実質的にパフォーマンスに影響を与えない。
【００４０】
この様に、理想的な状態（例えば、実際のチャネルがプリコーディングを計算するために使用されるチャネルと同じといった、理想的なチャネル知識）を想定すると、Ｂ端末は、Ｏ端末をターゲットとした情報からの干渉を全く受けず、逆もまた同様である。これは、制御情報がＢ端末に送信される必要がある場合、この情報を帯域内、例えば、媒体アクセス制御（ＭＡＣ）−制御要素として、通信される必要があることを暗示している。一実施形態において、ブロードキャスト情報は、アクティブなＢ端末のヌル空間でのダイバーシティ送信方法を使用するので、Ｂ端末は、Ｂ端末へのデータ送信の搬送に使用されている特定のリソースブロックにおけるこの情報を復号できない。
【００４１】
より詳しくは、下りリンクのビーム形成を考慮すると、基地局２は、式（１）で定義されるＭサイズベクトルを送信する。ｋ番目のＢ端末は、式（１）の送信ベクトルにより乗ぜられたｇｋ（基地局とユーザｋとの間のチャネル利得ベクトルを示す）に加えてノイズ（ここでは、ｗｋと表記。）を受信する。数学的に、時刻ｔでのｋ番目のＢ端末の受信サンプルｙｋ（ｔ）は、
【００４２】
【数２】
0006476279.tif 000003
である。
【００４３】
以下の行列
【００４４】
【数３】
0006476279.tif 000004
のヌル空間内にある送信ベクトル
【００４５】
【数４】
0006476279.tif 000005
の任意の部分は、総てのＢ端末には見えない。よって、式（１）でビーム形成された送信に加えて、基地局２は、ＧＴのヌル空間内にある任意のベクトルを送信し得る。
【００４６】
本開示の一態様によると、基地局２は、ＧＴのこのヌル空間で、Ｏ端末を対象とした制御データを送信する。基地局２は、Ｏ端末へのＣＳＩを保持していないので、基地局２は、それらへのビーム形成をできない。しかしながら、基地局は、例えば、空間時間ブロック符号化を使用し得る。
ここで、Ｚ＝[ｚ（１），・・・，ｚ（Ｔ）]
を、Ｍ×Ｔ空間−時間ブロックであるとすると、通常方法（例えば、空間−時間ブロック符号化のテキストブックとして学習される）で構成され、符号化された制御情報を含んでいる。式（１）の代わりに、基地局２は、時刻ｔで、
【００４７】
【数５】
0006476279.tif 000006
をブロードキャストする。第１項は、総てのＢ端末に送信され、第２項は、総てのＯ端末に送信される。
【００４８】
ＧＴ（１−Ｇ＊（ＧＴＧ＊）−１ＧＴ）＝０
であるので、Ｏ端末に宛てた信号を見るＢ端末はない。Ｏ端末に宛てた制御情報は、Ｂ端末にも同様に興味対象と潜在的になり得るので、この情報は、ビーム形成モード（つまり、帯域内）で、これらのＢ端末に送信され、マッシブＭＩＭＯアレイ利得を利用し、より良い信号対雑音比（ＳＮＲ）の結果となる。Ｂ端末が見る信号は、式（２）による信号に等しい。
【００４９】
（１−Ｇ＊（ＧＴＧ＊）−１ＧＴ）での乗算は、｛ｇｋ＊｝の間隔でのベクトル空間の直交補空間への投影と解釈される。逆に、Ｂ端末へのデータのビーム形成は、Ｂ端末が位置するスポットに受信電力を集中させるので、Ｏ端末は、Ｂ端末に向けた、ビーム形成された伝送からほとんど干渉を受けない。これは、正確なヌル空間の幾つかの偏差がある場合、つまり、ＧＴ（１−Ｇ＊（ＧＴＧ＊）−１ＧＴ）＝ε，ε≠０である場合にも当てはまる。
【００５０】
本開示の幾つかの実施形態において、ＵＥ３は、無線ネットワーク１が特定の時間−周波数リソースで情報をブロードキャスト送信していることを、例えば、その様に構成することで認識するが、ユーザ特定データ（例えば、ユニキャスト又はマルチキャスト）が受信されていると、そのブロードキャスト情報を復号することを無視する。
【００５１】
幾つかの実施形態において、ブロードキャストデータはサービングノードからのカバレッジを確実にするために使用され、そこでは、ブロードキャストデータの品質が閾値を下回ると、ＵＥ３は、サービングノードへの接続を終了し得る。本開示の一実施形態において、ブロードキャスト情報の品質は、ユーザ特定データ送信が受信されないときのみ、推定される。
【００５２】
図３は、例えば、本開示の態様を実行するため、マッシブＭＩＭＯ技術を利用する基地局２といったネットワークノードの処理１０を示している。以下の例において、用語"リソース"が使用される。リソースは、例えば、ＬＴＥで使用されるリソースブロックや、時間、周波数、又は、コードリソースであり得る。無線リソースをリソースエンティティに分割する方法は、本開示にとって重要ではなく、表記や分割に拘らず、ユーザ特定データ及び制御データが同じリソースエンティティ（上述した様に）で送信される。
【００５３】
ボックス１１で、基地局２は、その知識を有するＵＥｋ、ｋ＝１、・・・、ＫのＣＳＩを取得する。基地局２は、例えば、接続状態にあるＵＥにより、あるＵＥを認識し得る。基地局２は、このように、
【００５４】
0006476279.tif 000007
【００５５】
を取得し、ここで、ｇｋは、アンテナアレイからＵＥｋへの特定リソースでのチャネル応答である。
【００５６】
ボックス１２で、基地局２は、ＵＥｋ、ｋ＝１、・・・、Ｋ、つまり、ＣＳＩを有する総てのＵＥのためのビーム形成ベクトルｖｋを判定する。この判定のため、ボックス１１からの出力、つまり、ビーム形成ベクトルＶｋがチャネル応答ｇｋに基づき判定され得る。（例えば、式（１）及び関連する記載を比較）。
【００５７】
ボックス１３で、ユーザデータｓｋ（ｔ）がビーム形成ベクトルｖｋを使用して送信される。送信するユーザデータがある各ＵＥ３のために、積ｖｋｓｋ（ｔ）が判定される。
【００５８】
ボックス１１からの出力は、ボックス１２及びボックス１５に入力され、ビーム形成行列Ｕが未使用のチャネル自由度のために判定される。例えば、Ｕは、Ｕ＝（１−Ｇ＊（ＧＴＧ＊）−１ＧＴ）により判定される。 
ボックス１６において、符号器から受信した符号化制御情報ｚ（ｔ）（又はブロードキャスト情報ｚ（ｔ））は、ビーム形成行列Ｕを使用して送信される。積Ｕｚ（ｔ）が判定される。
【００５９】
ボックス１３及び１６からの出力ｖｋｓｋ（ｔ）及びＵｚ（ｔ）のそれぞれは、参照符号１４で示されるように結合され、結果の信号を例えば同じリソースｒ＝１、・・・、Ｒにマッピングするため、例えば、スケジューラであるボックス１７に供給される。この文脈において、リソースは、周波数及び時間の２次元ユニットと見なされ得る。例えば、ＬＴＥにおいて、リソースブロックは、時間領域の１つのタイムスロット及び周波数領域の１２のサブキャリア（チャネルとも呼ばれる。）で構成され、タイムスロットは、所謂、フレームの部分であり、複数のシンボルを含む。各フレームは、複数のサブフレームに分割され、各サブフレームは時間次元において複数のタイムスロットを含んでいる。例えばＬＴＥにおいて、１フレームは１０サブフレームを含み、リソースブロックは、１つのサブフレーム（時間次元において）に等しい１つのスケジューリング期間の長さを有する。
【００６０】
図４は、本開示の一態様によるユーザ端末での手順を示している。手順２０は、ボックス２１で開始し、フレームｔの処理が開始される。フローはボックス２２に進み、ユーザ端末は、ビーム形成された信号に潜在的に含まれる専用情報ｓｋ（ｔ）の復調及び復号を試みる。
【００６１】
ボックス２２での復調及び復号に成功すると（ボックス２３）、フローはボックス２４に進み、ユーザ端末は、受信したユーザプレーンデータと、信号に含まれ得る帯域内制御情報を処理する。フローは、その後、ボックス２４からボックス２７へと続き、フレームｔの処理が終了する。
【００６２】
ユーザ端末がボックス２２で復調及び復号に成功しないと（ボックス２３）、フローはボックス２５に進む。ボックス２５において、ユーザ端末は、信号に潜在的に含まれるブロードキャスト情報ｚ（ｔ）の復調及び復号を試みる。
【００６３】
ユーザ端末がブロードキャスト情報ｚ（ｔ）の復調及び復号に成功すると（ボックス２６）、フローはボックス２８に進み、受信したブロードキャスト情報が処理される。フローは、その後、ボックス２８からボックス２７へと続き、フレームｔの処理が終了する。
【００６４】
ユーザ端末がボックス２５での復調及び復号に成功しないと（ボックス２６）、フローはボックス２７に進む。ボックス２７において、フレームｔの処理が終了する。
【００６５】
図５は、本開示によるネットワークノードでの方法のステップを示すフローチャートである。開示する種々の特徴は、異なるように組み合わされ、それらの例を、図５を参照して記述する。
【００６６】
方法３０は、無線ネットワーク１でデータを送信するネットワークノード２で実行するために提示される。ネットワークノード２は、例えば、複数のデータストリームを送信できる。ネットワークノード２は、多入力多出力アンテナシステム５を制御するために構成（アレンジ）可能である。ネットワークノード２は、例えば、上述した様に、基地局、ｅＮＢなどを含み得る。
【００６７】
方法３０は、１つ以上の通信デバイスＵＥ１、・・・、ＵＥＫへのユーザ特定データストリームをビーム形成３１することを含み、ビーム形成３１は、１つ以上の通信デバイスＵＥ１、・・・、ＵＥＫそれぞれのために利用可能な各チャネル情報に基づく。
【００６８】
方法３０は、送信ダイバーシティ法を用いて制御情報ストリームをプリコーディング３２することを含む。その様な送信ダイバーシティ法は、例えば、空間−時間ブロック符号化法（特定の例としてアラモウチ符号）や、空間−周波数ブロック符号化法であり得る。
【００６９】
方法３０は、ビーム形成されたユーザ特定データと、プリコーディングされた制御情報ストリームを同じ送信リソースで送信３３することを含む。使用する送信リソースの特定例は、リソースブロックである。
【００７０】
方法３０は、制御情報の送信又はブロードキャストに必要なリソース（例えば、時間及び周波数リソース）を、マッシブＭＩＭＯのビーム形成されたユーザデータの送信にも使用することを可能にする。方法は、よって、アクティブユーザのスループットと同様に、ネットワークのキャパシティを高める。
【００７１】
方法は、複数のデータストリームの送信に使用でき、少なくとも１つのストリームが指向性のフォーマットを使用して送信され、少なくとも１つのストリームがダイバーシティフォーマットを使用して送信される。指向性ビーム形成フォーマットは、チャネル状態情報の知識に基づき、第１ユーザへの第１データストリームのために判定され得る。指向性ビーム形成フォーマットは、例えば、最大比送信（ＭＲＴ）又はゼロフォーシングといった異なる公知の方法により判定され得る。指向性フォーマットに殆ど干渉を与えないダイバーシティ送信フォーマットは、例えば、空間時間ブロック符号（アラモウチ符号）を判定することにより、空間周波数ブロック符号を判定することにより、或いは、プリコーダ巡回を使用することにより判定され得る。判定されたダイバーシティ送信フォーマットは、指向性ビーム形成が使用されているユーザのチャネル利得ベクトルにわたる空間の直交補空間に投影され得る。第１データストリームは、第１通信リソース上、例えば、第１時間及び周波数リソースで、指向性送信フォーマットを使用して送信され、第２データストリームは、第１通信リソースと少なくとも部分的に重なる通信リソース上、例えば、時間及び周波数リソースで、ダイバーシティ送信フォーマットを使用して送信される。どの様に無線リソースをエンティティ（通信リソース）に分割したかに応じて、第１及び第２データストリームは、完全に同じ通信リソースで送信、或いは、部分的に重複して送信される。
【００７２】
一実施形態において、プリコーディング３２は、１つ以上の通信デバイスＵＥ１、・・・、ＵＥＫそれぞれのための各チャネル行列を含む、結合チャネル行列のヌル空間にあるプリコーディング行列を判定することを含む。
【００７３】
一実施形態において、プリコーディング３２は、１つ以上の通信デバイスＵＥ１、・・・、ＵＥＫそれぞれのための各チャネル行列を含む、結合チャネル行列のヌル空間＋εにあるプリコーディング行列を判定することを含み、ここで、ヌル空間＋ε＜閾値である。閾値は、例えば、特定の設定環境に依存し、許容できる干渉の観点で設定され得る。
【００７４】
一実施形態において、方法３０は、ビーム形成されたユーザ特定データストリームが送信される通信デバイスに、共通制御情報の復号について指示することを含む。例えば、ネットワークノードは、共通制御情報の復号を試みないことを通信デバイスに指示することができる。特に、通信デバイスが、共通制御情報を復号しないことを明示的に指示されたときのみ、通信デバイスは復号しないことができる。このため、ネットワークノードは、例えば、共通制御情報を復号させないための情報を通信デバイスは送信し得る。この情報は、例えば、特定メッセージのヘッダのビットで送信される。
【００７５】
上述した実施形態の派生形態として、命令することは、例えば、ＭＡＣヘッダ又はスケジューリング割り当てといった、制御メッセージのビットにおいて、通信デバイスが帯域内の共通制御情報を復号することを示すことを含む。
【００７６】
上述した２つの実施形態の派生形態として、命令することは、制御メッセージのビットにおいて、通信デバイスが共通制御情報を無視することを示すことを含む。
【００７７】
一実施形態において、方法３０は、通信デバイスＵＥ１、・・・、ＵＥＫのためのユーザ特定データがビーム形成され、それらに制御情報を通信する必要がある場合、制御情報をビーム形成３１に含めることを含む。ネットワークノード２は、ビーム形成されたユーザデータが送信される通信デバイスへ、ビーム形成された制御情報を通信し得る。マッシブＭＩＭＯの利得は、よって、制御情報の送信にも利用され得る。
【００７８】
図６は、本開示のネットワークノードと、方法を実行する手段とを示す図である。
【００７９】
ネットワークノード２は、メモリ４１に格納されたソフトウェア命令を実行可能な、１つ以上の中央処理ユニット（ＣＰＵ）、マルチプロセッサ、マイクロコントローラ、デジタル信号プロセッサ（ＤＳＰ）、アプリケーション特定集積回路などの１つ以上の組み合わせを含むプロセッサ４０を含み、コンピュータプログラム製品４１であり得る。プロセッサ４０は、例えば、図５に関して説明した方法３０の種々の実施形態のいずれかを実行する様に構成され得る。メモリ４１は、例えば、ランダムアクセスメモリ（ＲＡＭ）、リードオンリーメモリ（ＲＯＭ）、フラッシュメモリ、磁気テープ、コンパクトディスク（ＣＤ）−ＲＯＭ、デジタル多用途ディスク（ＤＶＤ）、ブルーレイディスク等の任意の組み合わせであり得る。メモリ４１は、例えば、磁気メモリ、光メモリ、固体メモリの１つ以上の組み合わせといった永続メモリであり、遠隔に設けられたメモリでもあり得る。
【００８０】
ネットワークノード２は、例えば、図１及び２に関して説明した、カバレッジ内の通信デバイスから信号を受信し、及び／又は、カバレッジ内の通信デバイスに信号を送信することにより、通信デバイスへの無線通信を提供する複数のアンテナ７を含む、或いは、制御する様に構成される。ネットワークノード２は、このため受信回路４３及び送信回路４４も含み得る。
【００８１】
ネットワークノード２は、ビーム形成４５のための手段を含む。例えば、ビーム形成器は、プロッサが実行するコンピュータプログラムの様なソフトウェア命令、及び／又は、アプリケーション特定集積回路、フィールドプログラマブルゲートアレイ、個別ロジック部品等のハードウェアを使用して実現され得る。
【００８２】
ネットワークノード２は、プリコーディング４７のための手段を含む。プリコーダは、例えば、プロッサが実行するコンピュータプログラムの様なソフトウェア命令、及び／又は、アプリケーション特定集積回路、フィールドプログラマブルゲートアレイ、個別ロジック部品等のハードウェアを使用して実現され得る。
【００８３】
ネットワークノード２は、例えば、他のネットワークノードとの通信のためのインタフェースを構成する入出力デバイス４６（Ｉ／Ｏ又はＩＮ／ＯＵＴ）の様な、通常、ネットワークノードに設けられる他の手段及び機能を備えている。
【００８４】
データメモリ（個別のユニットとしては図示せず）が、プロセッサ４０でのソフトウェア命令の実行の間、データの読み書きのために設けられ得る。その様なデータメモリは、例えば、ランダムアクセスメモリ（ＲＯＭ）及びリードオンリーメモリ（ＲＯＭ）の任意の組み合わせであり得る。
【００８５】
ネットワークノード２は、無線ネットワーク１でのデータ送信のために設けられ、ネットワークノード２は、多入力多出力アンテナシステム５を制御する様に構成可能である。ネットワークノード２は、例えば、１つ以上のプロセッサ４０とメモリにより、ＭＩＭＯアンテナシステム５を制御する様に構成され、メモリは、プロセッサ４０により実行可能な命令を含み、よって、ネットワークノード２は、例えば、図５に関する種々の実施形態として述べた方法３０を実行する様に動作する。
【００８６】
ネットワークノード２は、
１つ以上の通信デバイスＵＥ１、・・・、ＵＥＫへのユーザ特定データストリームをビーム形成し、ここで、ビーム形成は、１つ以上の通信デバイスＵＥ１、・・・、ＵＥＫそれぞれのために利用可能な各チャネル情報に基づき、 
送信ダイバーシティ法を使用して制御情報ストリームをプリコーディングし、   
ビーム形成されたユーザ特定データストリームと、プリコーディングされた制御情報ストリームを同じ送信リソースで送信する様に構成される。
【００８７】
一実施形態において、ネットワークノード２は、１つ以上の通信デバイスＵＥ１、・・・、ＵＥＫそれぞれの各チャネル行列を含む、結合チャネル行列のヌル空間にあるプリコーディング行列を判定することにより、プリコーディングする様に構成される。
【００８８】
一実施形態において、ネットワークノード２は、１つ以上の通信デバイスＵＥ１、・・・、ＵＥＫそれぞれの各チャネル行列を含む、結合チャネル行列のヌル空間＋εにあるプリコーディング行列を判定することにより、プリコーディングする様に構成され、ここで、ヌル空間＋ε＜閾値である。閾値は、許容可能な干渉の観点から設定され、例えば、ネットワークノード２が取得可能な事前構成値であり得る。
【００８９】
一実施形態において、ネットワークノード２は、ビーム形成されたユーザ特定データストリームが送信される通信デバイスに、共通制御情報の復号について指示する様に構成される。
【００９０】
一実施形態において、ネットワークノード２は、通信デバイスが帯域内の共通制御情報を復号することを、制御メッセージのビットで示すことで指示する様に構成される。
【００９１】
一実施形態において、ネットワークノード２は、通信デバイスが共通制御情報を無視することを、制御メッセージのビットで示すことにより指示する様に構成される。
【００９２】
一実施形態において、ネットワークノード２は、ユーザ特定データストリームがビーム形成された通信デバイスＵＥ１、・・・、ＵＥＫに制御情報を通信する必要がある場合、制御情報をビーム形成３１に含める様に構成される。
【００９３】
本開示は、例えば上述した方法の実施形態を実行するコンピュータプログラム４２も含む。コンピュータプログラム４２は、データを送信するネットワークノード２で使用され、コンピュータプログラム４２は、コンピュータプログラムコードを含み、ネットワークノード２の少なくとも１つのプロセッサ４０でコンピュータプログラムコードが実行されると、ネットワークノード２に図５により説明した方法３０を実行させる。
【００９４】
本開示は、上述したコンピュータプログラム４２と、コンピュータプログラム４２が格納されたコンピュータ可読手段と、を含むコンピュータプログラム製品４１も含む。
【００９５】
機能モジュール／ソフトウェアモジュールを使用する実装例を図６に示し、特に、ネットワークノード２は、本開示の方法の実施形態を実行するための手段４３、４４、４５を備えている。
【００９６】
本開示は、一態様として、無線ネットワーク１においてデータを送信するネットワークノード２を提供する。ネットワークノード２は、１つ以上の通信デバイスＵＥ１、・・・、ＵＥKへのユーザ特定データストリームをビーム形成する第１手段を含み、ビーム形成は、１つ以上の通信デバイスＵＥ１、・・・、ＵＥKそれぞれのために利用可能な各チャネル情報に基づく。図６の参照符号４５で示されるその様な第１手段は、（上述した様に）プロセッサで実行されるコンピュータプログラムの様なソフトウェア命令、及び／又は、アプリケーション特定集積回路、フィールドプログラマブルゲートアレイ、個別ロジック部品等のハードウェアとして実現され得る。第１手段４５は、メモリに格納されたプログラムコードを使用することによりビーム形成する様に適合される処理回路を含み得る。
【００９７】
ネットワークノード２は、送信ダイバーシティ法を用いた制御情報ストリームをプリコーディングする第２手段を含んでいる。図６の参照符号４７で示されるその様な第２手段は、（上述した様に）プロセッサで実行されるコンピュータプログラムの様なソフトウェア命令、及び／又は、アプリケーション特定回路、フィールドプログラマブルゲートアレイ、個別ロジック部品等のハードウェアとして実現され得る。第２手段４７は、メモリに格納されたプログラムコードを使用することによりプリコーディングする様に適合される処理回路を含み得る。
【００９８】
ネットワークノード２は、ビーム形成されたユーザ特定データストリームと、プリコーディングされた制御情報ストリームを同じ送信リソースで送信する第３手段４４を含む。第３手段４４は、例えば、例えば、アンテナデバイスを介し、データストリームを送信する様に構成された処理回路を含み得る。
【００９９】
ネットワークノード２は、本開示の様々な実施形態を実行するための追加の手段を含み得る。
【０１００】
図７は、本開示の一態様による通信デバイスでの方法のステップを示すフローチャートである。
【０１０１】
方法５０は、無線ネットワーク１でデータを受信する通信デバイス３で実行される。
【０１０２】
方法５０は、信号を受信５１し、フレーム処理を開始することを含む。
【０１０３】
方法５０は、信号がユーザ特定データを含むかを判定５２することと、
信号にユーザ特定データあると判定することに応じてユーザ特定データを処理することと、
信号にユーザ特定データがないと判定することに応じて、信号が制御情報を含むかを判定することと、を含む。
【０１０４】
つまり、信号にユーザ特定データがあると判定されると、このデータが処理され、通信デバイスに特定の方法で送信された任意の制御情報が存在するかもしれない。信号にユーザ特定データがないと、通信デバイス３は、信号が制御情報を含むかを判定する。手順は、例えば、移動局で実行され、指向性送信フォーマットのデータストリーム（例えば、ビーム形成されたユーザデータ）を受信する移動局は、ダイバーシティ送信フォーマットの第２データストリーム（例えば、プリコーディングされた制御情報）を同時に受信し復号することを要求されない。
【０１０５】
一実施形態において、方法５０は、信号に制御情報が含まれているとの判定に応じて、制御情報を処理し、信号に制御情報が含まれていないとの判定に応じて、フレーム処理を終了することを含む。
【０１０６】
一実施形態において、通信デバイス３は、制御情報リソースの制御情報を受信する様に構成され、方法５０は、信号にユーザ特定データがあるとの判定に応じて、構成された制御情報リソースのデータの復号を無視することを含む。
【０１０７】
一実施形態において、信号がユーザ特定データを含むかを判定５２することは、信号を復調してユーザ特定データを復号することを試みることを含む。
【０１０８】
一実施形態において、信号に制御情報が存在するかを判定することは、信号を復調して制御情報を復号することを試みることを含む。
【０１０９】
図８は、通信デバイスと、本開示の方法の実施形態を実行する手段とを示す図である。
【０１１０】
通信デバイス３は、コンピュータプログラム製品６１であり得るメモリ６１に格納されたソフトウェア命令を実行可能な、１つ以上の中央処理ユニット（ＣＰＵ）、マルチプロセッサ、マイクロコントローラ、デジタル信号プロセッサ（ＤＳＰ）、アプリケーション特定集積回路などの１つ以上の組み合わせを含む、プロセッサ６０を含む。プロセッサ６０は、例えば、図７に関して説明した方法５０の種々の実施形態のいずれかを実行する様に構成され得る。メモリ６１は、例えば、ランダムアクセスメモリ（ＲＡＭ）、リードオンリーメモリ（ＲＯＭ）、フラッシュメモリ、磁気テープ、コンパクトディスク（ＣＤ）−ＲＯＭ、デジタル多用途ディスク（ＤＶＤ）、ブルーレイディスク等の任意の組み合わせであり得る。メモリ６１は、例えば、磁気メモリ、光メモリ、固体メモリの１つ以上の組み合わせといった永続メモリであり、遠隔に設けられたメモリでもあり得る。
【０１１１】
通信デバイス３は、ネットワーク２と無線信号を送受信するためのアンテナデバイス６５を含み得る。受信回路６３及び送信回路６４は、このために含まれ得る。
【０１１２】
通信デバイス３は、例えば、復号器６６、ディスプレイ（図示せず）等、通信デバイス３に通常設けられる他の手段及び機能を含み得る。他の例は、ユーザデータ処理するための手段６８、ユーザデータの存在を判定するための手段６７、制御データの存在を判定するための手段６９を含み、これら総てについては後述する。
【０１１３】
データメモリ（個別のユニットとしては図示せず）が、プロセッサ60でのソフトウェア命令の実行の間、データの読み書きのために設けられ得る。その様なデータメモリは、例えば、ランダムアクセスメモリ（ＲＯＭ）及びリードオンリーメモリ（ＲＯＭ）の任意の組み合わせであり得る。
【０１１４】
通信デバイス３は、無線通信ネットワーク１でデータを受信するために提供される。通信デバイス３は、例えば、図７に関して説明した方法５０を実行する様に構成される。ネットワークノード２は、例えば、１つ以上のプロセッサ６０とメモリを含み、これによりデータを受信する様に構成され、メモリは、プロセッサ６０により実行可能な命令を含み、よって、通信デバイス３は、例えば、図７に関する種々の実施形態として述べた方法５０を実行する様に動作する。
【０１１５】
通信デバイス３は、
信号を受信し、フレーム処理を開始し、
信号がユーザ特定データを含むかを判定し、 
信号にユーザ特定データあると判定することに応じてユーザ特定データを処理し、
信号にユーザ特定データがないと判定することに応じて、信号が制御情報を含むかを判定する様に構成される。
【０１１６】
一実施形態において、通信デバイス３は、信号に制御情報が含まれているとの判定に応じて、制御情報を処理し、信号に制御情報が含まれていないとの判定に応じて、フレーム処理を終了する様に構成される。
【０１１７】
一実施形態において、通信デバイス３は、制御情報リソースの制御情報を受信する様に構成され、信号にユーザ特定データがあるとの判定に応じて、構成された制御情報リソースのデータの復号を無視する様に構成される。
【０１１８】
一実施形態において、通信デバイス３は、信号を復調してユーザ特定データを復号することを試みることにより、信号がユーザ特定データを含むかを判定する様に構成される。
【０１１９】
一実施形態において、通信デバイス３は、信号を復調して制御情報を復号することを試みることにより、信号に制御情報が存在するかを判定する様に構成される。
【０１２０】
本開示は、例えば上述した方法の実施形態を実行するコンピュータプログラム６２も含む。コンピュータプログラム６２は、データを受信する通信デバイスで使用され、コンピュータプログラム６２は、コンピュータプログラムコードを含み、通信デバイス３の少なくとも１つのプロセッサ６０でコンピュータプログラムコードが実行されると、通信デバイス３に図７により説明した方法５０を実行させる。
【０１２１】
本開示は、上述したコンピュータプログラム６２と、コンピュータプログラム６２が格納されたコンピュータ可読手段と、を含むコンピュータプログラム製品６１も含む。
【０１２２】
機能モジュール／ソフトウェアモジュールを使用する実装例を図８に示し、特に、通信デバイス３は、本開示の方法の実施形態を実行するための手段を備えている。
【０１２３】
本開示は、一態様として、無線ネットワーク１においてデータを受信する通信デバイス３を提供する。通信デバイス３は、信号を受信し、フレーム処理を開始する第１手段を備えている。その様な、第１手段は、例えば、受信回路６３の様な、アンテナ６５を介して信号を受信する様に構成された処理回路を含み得る。
【０１２４】
通信デバイス３は、信号がユーザ特定データを含むかを判定する第２手段を備えている。その様な手段は、図８の参照符号６７で示す様な、メモリに格納されたプログラムコードを使用することによりその様な判定を実行する様に適合された処理回路を含み得る。
【０１２５】
通信デバイス３は、信号にユーザ特定データあると判定することに応じてユーザ特定データを処理する第３手段を備えている。第３手段は、図８の参照符号６８で示す様な、メモリに格納されたプログラムコードを使用することにより、及び／又は、例えば、復号手段６６を使用することにより、ユーザ特定データを処理する様に適合された処理回路により実現され得る。
【０１２６】
通信デバイス３は、信号にユーザ特定データがないと判定することに応じて、信号が制御情報を含むかを判定する第４手段を備えている。第４手段は、図８の参照符号６９で示す様な、メモリに格納されたプログラムコードを使用することにより、信号に制御情報が含まれるかのその様な判定を実行する様に適合された処理回路により実現され得る。
【０１２７】
上記第１手段、第２手段、第３手段及び第４手段は、例えば、プロッサが実行するコンピュータプログラムの様なソフトウェア命令、及び／又は、アプリケーション特定集積回路、フィールドプログラマブルゲートアレイ、個別ロジック部品等のハードウェアを使用して実現され得る。
【０１２８】
本発明を、主に、幾つかの実施形態を参照して説明した。しかしながら、本開示の特定の実施形態とは異なる他の実施形態が、添付の特許請求の範囲で定義される本発明の範囲内で可能であることを、当業者は理解する。
【図１】
0006476279.tif 000008
【図２】
0006476279.tif 000009
【図３】
0006476279.tif 000010
【図４】
0006476279.tif 000011
【図５】
0006476279.tif 000012
【図６】
0006476279.tif 000013
【図７】
0006476279.tif 000014
【図８】
0006476279.tif 000015